(57)【要約】【課題】同じ系統において、２つのキーが同時に押された場合でも、当該２つのキーを確実に検出可能なキー入力検出回路およびキー入力検出システムを提供できる。【解決手段】第一接点Ａ、第二接点Ｂおよび第三接点Ｃを備え、制御信号ＳＣに応じて第三接点Ｃに接続する接点を第一接点Ａおよび第二接点Ｂの間で切り替える接点切り替えスイッチＳＷ０と、一端が第三接点Ｃに接続され、他端に電源電圧ＶＣＣが入力される抵抗Ｒ０と、少なくとも１つの第二抵抗回路Ｒ１〜Ｒｎ−１を直列に接続し、一端が第一接点Ａに、他端が第二接点Ｂにそれぞれ接続された抵抗直列回路と、複数のキーのそれぞれに対応して設けられ、対応するキーが押された場合にＯＮ状態となり、一端が抵抗直列回路内の対応する第二抵抗回路の接続点に接続され、他端に第二電圧が入力される複数のスイッチ回路ＳＷ１〜ＳＷｎとを備え、第一抵抗回路Ｒ０の一端の電圧を出力する。【選択図】図４Ａ
2014209288.tif 000002
【特許請求の範囲】
【請求項１】
複数のキーのうち、同時に押された２つのキーを検出するキー入力検出回路であって、
第一接点、第二接点および第三接点の３つの接点を備え、制御信号に応じて前記第三接点を前記第一接点または前記第二接点に接続する接点切り替えスイッチと、
一端が前記接点切り替えスイッチの前記第三接点に接続され、他端に第一電圧が入力される第一抵抗回路と、
少なくとも１つの第二抵抗回路を直列に接続した抵抗直列回路であって、一端が前記接点切り替えスイッチの前記第一接点に、他端が前記接点切り替えスイッチの前記第二接点にそれぞれ接続された前記抵抗直列回路と、
前記複数のキーのそれぞれに対応して設けられ、対応するキーが押された場合にＯＮ状態となる複数のスイッチ回路であって、一端が前記抵抗直列回路内の対応する第二抵抗回路の接続点に接続され、他端に第二電圧が入力される前記複数のスイッチ回路とを備え、
前記第一抵抗回路の一端の電圧を出力する
キー入力検出回路。
【請求項２】
複数のキーのうち、同時に押された２つのキーを検出するキー入力検出回路であって、
第一接点、第二接点および第一の電圧が入力される第三接点の３つの接点を備え、制御信号に応じて前記第三接点に接続する接点を前記第一接点および前記第二接点の間で切り替える接点切り替えスイッチと、
２つの第一抵抗回路と、
少なくとも１つの第二抵抗回路を直列に接続した抵抗直列回路と、
前記複数のキーのそれぞれに対応して設けられ、対応するキーが押された場合にＯＮ状態となる複数のスイッチ回路であって、一端が前記抵抗直列回路内の対応する第二抵抗回路の接続点に接続され、他端に第二電圧が入力される前記複数のスイッチ回路とを備え、
一方の第一抵抗回路は、前記接点切り替えスイッチの前記第一接点と、前記直列抵抗回路の一端との間に接続され、
他方の第一抵抗回路は、前記接点切り替えスイッチの前記第二接点と、前記直列抵抗回路の他端との間に接続され、
前記一方の第一抵抗回路と前記直列抵抗回路との接続点、および、前記他方の第一抵抗回路と前記直列抵抗回路との接続点の電圧を出力する
キー入力検出回路。
【請求項３】
前記制御信号は、周期的な信号であり、各周期には、ハイレベルの期間とローレベルの期間とが含まれ、
前記接点切り替えスイッチは、前記制御信号がハイレベルの期間に前記第三接点と前記第一接点とを接続し、前記制御信号がローレベルの期間に前記第三接点と前記第二接点とを接続する
請求項１または２に記載のキー入力検出回路。
【請求項４】
前記複数の第二抵抗回路それぞれの抵抗値は、全て同じ値に設定されている
請求項１〜３の何れか１項に記載のキー入力検出回路。
【請求項５】
複数のキーのうち、同時に押された２つのキーを検出するキー入力検出回路であって、
第一接点、第二接点および第三接点の３つの接点を備え、制御信号に応じて前記第三接点に接続する接点を前記第一接点および前記第二接点の間で切り替える接点切り替えスイッチと、
一端が前記接点切り替えスイッチの前記第三接点に接続され、他端に第一電圧が入力される第一抵抗回路と、
複数の第二抵抗回路を直列に接続した抵抗直列回路であって、一端が前記接点切り替えスイッチの前記第一接点に、他端が前記接点切り替えスイッチの前記第二接点にそれぞれ接続された前記抵抗直列回路と、
前記複数のキーのそれぞれに対応して設けられ、対応するキーが押された場合にＯＮ状態となる複数のスイッチ回路であって、一端が対応する前記抵抗直列回路の接続点に接続され、他端に第二電圧が入力される前記複数のスイッチ回路とを有し、
前記第一抵抗回路の一端の電圧を、押された２つのキーのうちの一方を示す情報として出力する
キー入力検出回路と、
前記制御信号に基づいて、前記接点切り替えスイッチの前記第三接点と接続している接点が前記第一接点であるか前記第二接点であるかを判定し、
前記第三接点に接続されていると判定された接点に応じたキーと電圧との対応関係を用い、前記キー入力検出回路から出力される電圧に対応するキーを特定する
キー情報生成装置とを備える
キー入力検出システム。
【発明の詳細な説明】
【技術分野】
【０００１】
本発明は、押された（タッチされた）キーを検出するキー入力検出回路およびキー入力検出システムに関する。
【背景技術】
【０００２】
コンピュータへの入力装置としては、例えば、押している期間のみＯＮ状態となるタクタイルスイッチ（ｔａｃｔｉｌｅ  ｓｗｉｔｃｈ）を利用した入力装置、あるいは、指先が触れた部分を検出するタッチセンサを用いたタッチパネル等の入力装置等がある。
【０００３】
このような入力装置では、従来は、例えば、図１２に示すように、１つのキーが押されていることを前提に構成されている。
【０００４】
しかし、近年、ソフトウェアの高機能化あるいは複雑化等に伴い、２つのキーを同時に押すという入力パターンを利用可能にすることが求められている。
【先行技術文献】
【特許文献】
【０００５】
【特許文献１】特開平８−２４１１５５号公報
【発明の概要】
【発明が解決しようとする課題】
【０００６】
しかしながら、従来は、２つのキーを同時に押すという入力パターンを利用可能にするために、例えば、図１３に示すように、２つの系統を設けている。しかし、２つの系統を設ける場合でも、異なる系統間でしか２つのキーを検出できず、同じ系統では１つのキーしか検出することができない。
【０００７】
本発明は上述の課題を解決するためになされたものであり、同じ系統において２つのキーが同時に押されたことを検出できるキー入力検出回路を提供することを目的とする。
【課題を解決するための手段】
【０００８】
上記目的を達成するために、本発明の一態様に係るキー入力検出回路は、複数のキーのうち、同時に押された２つのキーを検出するキー入力検出回路であって、第一接点、第二接点および第三接点の３つの接点を備え、制御信号に応じて前記第三接点を前記第一接点または前記第二接点に接続する接点切り替えスイッチと、一端が前記接点切り替えスイッチの前記第三接点に接続され、他端に第一電圧が入力される第一抵抗回路と、少なくとも１つの第二抵抗回路を直列に接続した抵抗直列回路であって、一端が前記接点切り替えスイッチの前記第一接点に、他端が前記接点切り替えスイッチの前記第二接点にそれぞれ接続された前記抵抗直列回路と、前記複数のキーのそれぞれに対応して設けられ、対応するキーが押された場合にＯＮ状態となる複数のスイッチ回路であって、一端が前記抵抗直列回路内の対応する第二抵抗回路の接続点に接続され、他端に第二電圧が入力される前記複数のスイッチ回路とを備え、前記第一抵抗回路の一端の電圧を出力する。
【０００９】
上記目的を達成するために、本発明の一態様に係るキー入力検出回路は、複数のキーのうち、同時に押された２つのキーを検出するキー入力検出回路であって、第一接点、第二接点および第一の電圧が入力される第三接点の３つの接点を備え、制御信号に応じて前記第三接点に接続する接点を前記第一接点および前記第二接点の間で切り替える接点切り替えスイッチと、２つの第一抵抗回路と、少なくとも１つの第二抵抗回路を直列に接続した抵抗直列回路と、前記複数のキーのそれぞれに対応して設けられ、対応するキーが押された場合にＯＮ状態となる複数のスイッチ回路であって、一端が前記抵抗直列回路内の対応する第二抵抗回路の接続点に接続され、他端に第二電圧が入力される前記複数のスイッチ回路とを備え、一方の第一抵抗回路は、前記接点切り替えスイッチの前記第一接点と、前記直列抵抗回路の一端との間に接続され、他方の第一抵抗回路は、前記接点切り替えスイッチの前記第二接点と、前記直列抵抗回路の他端との間に接続され、前記一方の第一抵抗回路と前記直列抵抗回路との接続点、および、前記他方の第一抵抗回路と前記直列抵抗回路との接続点の電圧を出力する。
【００１０】
上記何れかの構成のキー入力検出回路によれば、同じ系統において、２つのキーが同時に押された場合でも、当該２つのキーを確実に検出可能になる。
【００１１】
例えば、前記制御信号は、周期的な信号であり、各周期には、ハイレベルの期間とローレベルの期間とが含まれ、前記接点切り替えスイッチは、前記制御信号がハイレベルの期間に前記第三接点と前記第一接点とを接続し、前記制御信号がローレベルの期間に前記第三接点と前記第二接点とを接続しても良い。
【００１２】
上記構成のキー入力検出回路によれば、周期的に２つのキーに対応する電圧を出力可能になる。
【００１３】
また、前記複数の第二抵抗回路それぞれの抵抗値は、全て同じ値に設定されていても良い。
【００１４】
上記構成のキー入力検出回路によれば、第一抵抗回路および第二抵抗回路で構成される抵抗分圧回路において、キーと電圧との対応関係を容易に認識することが可能になる。
【００１５】
上記目的を達成するために、本発明の一態様に係るキー入力検出システムは、複数のキーのうち、同時に押された２つのキーを検出するキー入力検出回路であって、第一接点、第二接点および第三接点の３つの接点を備え、制御信号に応じて前記第三接点に接続する接点を前記第一接点および前記第二接点の間で切り替える接点切り替えスイッチと、一端が前記接点切り替えスイッチの前記第三接点に接続され、他端に第一電圧が入力される第一抵抗回路と、複数の第二抵抗回路を直列に接続した抵抗直列回路であって、一端が前記接点切り替えスイッチの前記第一接点に、他端が前記接点切り替えスイッチの前記第二接点にそれぞれ接続された前記抵抗直列回路と、前記複数のキーのそれぞれに対応して設けられ、対応するキーが押された場合にＯＮ状態となる複数のスイッチ回路であって、一端が対応する前記抵抗直列回路の接続点に接続され、他端に第二電圧が入力される前記複数のスイッチ回路とを有し、前記第一抵抗回路の一端の電圧を、押された２つのキーのうちの一方を示す情報として出力するキー入力検出回路と、前記制御信号に基づいて、前記接点切り替えスイッチの前記第三接点と接続している接点が前記第一接点であるか前記第二接点であるかを判定し、前記第三接点に接続されていると判定された接点に応じたキーと電圧との対応関係を用い、前記キー入力検出回路から出力される電圧に対応するキーを特定するキー情報生成装置とを備える。
【発明の効果】
【００１６】
本発明によると、同じ系統において、２つのキーが同時に押された場合でも、当該２つのキーを確実に検出可能なキー入力検出回路およびキー入力検出システムを提供できる。
【図面の簡単な説明】
【００１７】
【図１】ＴＶおよびＤＶＤの外観の一例を示す外観図である。
【図２】リモコンの外観の一例を示す外観図である。
【図３】実施の形態１のリモコンの構成のうち、入力されたキーの検出に関する構成の一例を示すブロック図である。
【図４Ａ】キー入力検出回路の一例を示す回路図である。
【図４Ｂ】図４Ａに示すキー入力検出回路の動作を説明するための図である。
【図４Ｃ】図４Ａに示すキー入力検出回路の動作を説明するための図である。
【図４Ｄ】図４Ａに示すキー入力検出回路の動作を説明するための図である。
【図４Ｅ】図４Ａに示すキー入力検出回路の動作を説明するための図である。
【図５】キー情報生成回路により生成されるキー信号の一例を示す波形図である。
【図６】図５に示すキー信号が、ＭａｉｎＰＣＢのＬＰＦを通過した後の波形を示す波形図である。
【図７】キー情報生成回路により生成されるキー信号の一例を示す波形図である。
【図８】図７に示すキー信号が、ＭａｉｎＰＣＢのＬＰＦを通過した後の波形を示す波形図である。
【図９】キー情報生成回路により生成されるキー信号の一例を示す波形図である。
【図１０】図９に示すキー信号が、ＭａｉｎＰＣＢのＬＰＦを通過した後の波形を示す波形図である。
【図１１】実施の形態４のリモコンの構成のうち、入力されたキーの検出に関する構成の一例を示すブロック図である。
【図１２】キー入力検出回路の一例を示す回路図である。
【図１３】キー入力検出回路の一例を示す回路図である。
【図１４】キー入力検出回路の一例を示す回路図である。
【発明を実施するための形態】
【００１８】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００１９】
（実施の形態１）
実施の形態１について、図１〜図６を基に説明する。
【００２０】
図１は、ＴＶ（Ｔｅｌｅｖｉｓｉｏｎ）２００およびＤＶＤ（Ｄｉｇｉｔａｌ  Ｖｅｒｓａｔｉｌｅ  Ｄｉｓｃ）プレーヤ１００の外観を示す外観図である。図２は、リモコン３００の外観を示す外観図である。
【００２１】
本実施の形態では、キー入力検出回路は、タクタイルスイッチを備えたＤＶＤプレーヤ１００に搭載されている場合を例に説明する。ＤＶＤプレーヤ１００は、ＴＶ２００上に動画を表示する映像音響機器である。キー１１０は、ＤＶＤプレーヤ１００の装置本体に設けられ、ＤＶＤプレーヤ１００を操作するためのキーである。
【００２２】
ＤＶＤプレーヤ１００は、図１に示すように、表面に、複数のキー１１０を備えている。ＴＶ２００に表示されたＯＳＤ（Ｏｎ  Ｓｃｒｅｅｎ  Ｄｉｓｐｌａｙ）画面を、ＤＶＤプレーヤ１００の装置本体に設けられたキー１１０あるいはリモコン３００を用いて操作することにより、動画の再生、録画の予約等を実行可能である。
【００２３】
なお、本実施の形態のキー入力検出回路が搭載される機器は、ＤＶＤプレーヤ１００に限られるものではなく、図２に示すリモコン３００、あるいは、タブレット端末等に用いられるタッチパッド式のキーを備えたハードウェアキーボード等、任意の端末であってもよい。
【００２４】
［１−１．全体構成］
図３は、ＤＶＤプレーヤ１００の構成のうち、図２に示すキー１１０の入力に関する部分の構成を示すブロック図である。
【００２５】
図３に示すように、ＤＶＤプレーヤ１００は、押されたキー１１０を検出するＫｅｙＰＣＢ（Ｐｒｏｃｅｓｓ  Ｃｏｎｔｒｏｌ  Ｂｌｏｃｋ）１２０と、ＫｅｙＰＣＢ１２０からの信号に基づいて、押されたキー１１０を認識するＭａｉｎＰＣＢ１３０（キー情報認識装置に相当）とを備えている。
【００２６】
［１−１−１．ＫｅｙＰＣＢ１２０の構成］
ＫｅｙＰＣＢ１２０は、図３に示すように、キー入力検出回路１２１と、キー情報生成回路（キー情報生成装置に相当）１２２とを備えている。
【００２７】
キー入力検出回路１２１は、押されたキー１１０がどのキー１１０であるかを検出する回路である。本実施の形態のキー入力検出回路１２１は、１つのキー１１０のみがタッチされている場合に加え、２つのキー１１０が同時に押された場合も検出できる。
【００２８】
先ず、キー入力検出回路１２１の構成について、図４Ａを基に説明する。図４Ａは、キー入力検出回路１２１の一例を示す回路図である。
【００２９】
キー入力検出回路１２１は、図４Ａに示すように、接点切り替えスイッチＳＷ０（以下、「スイッチＳＷ０」と略称する）と、第一抵抗回路Ｒ０（以下、「抵抗Ｒ０」と略称する）と、第二抵抗回路Ｒ１〜Ｒｎ−１（ｎは２以上の整数）（以下、「抵抗Ｒ１〜Ｒｎ−１」と略称する）と、スイッチ回路ＳＷ１〜ＳＷｎ（以下、「スイッチＳＷ１〜ＳＷｎ」と略称する）とを備えて構成されている。
【００３０】
より具体的には、スイッチＳＷ０は、第一接点Ａ、第二接点Ｂ、第三接点Ｃを備え、制御信号に応じて第三接点Ｃに接続する接点を第一接点Ａおよび第二接点Ｂの間で切り替えるスイッチである。スイッチＳＷ０は、第一接点Ａに抵抗Ｒｎ−１の一端が、第二接点Ｂに抵抗Ｒ１の一端が、第三接点Ｃに抵抗Ｒ０の他端がそれぞれ接続されている。
【００３１】
ここで、制御信号は、クロック信号のように、周期的な信号であり、各周期には、ハイレベル“１”の期間とローレベル“０”の期間とが含まれる。制御信号の周期は、ＤＶＤプレーヤ１００の操作者が、キーをタッチしている期間に比べて相当短い周期である。
【００３２】
本実施の形態のスイッチＳＷ０は、例えば、制御信号ＳＣが“０”の場合は、第三接点Ｃを第一接点Ａに接続する。一方、本実施の形態のスイッチＳＷ０は、制御信号ＳＣが“１”の場合は、第三接点Ｃを第二接点Ｂに接続する。なお、スイッチＳＷ０は、制御信号ＳＣが“１”の場合に、第三接点Ｃと第一接点Ａとを接続し、制御信号ＳＣが“０”の場合に、第三接点Ｃと第二接点Ｂとを接続してもよい。また、制御信号ＳＣは、他の用途で用いられる制御信号ＳＣを流用するように構成すれば、制御信号ＳＣを受け付けるための特別な端子を追加する必要がなくなる。
【００３３】
抵抗Ｒ０は、一端に電源電圧ＶＣＣ（第一電圧）が印加され、他端にスイッチＳＷ０の第三接点Ｃが接続されている。
【００３４】
抵抗Ｒ１〜Ｒｎ−１は、この順に直列に接続されて、抵抗直列回路を構成している。本実施の形態では、抵抗Ｒ１〜Ｒｎ−１の抵抗値は、全て同じ値、例えば、抵抗Ｒ０の抵抗値に設定されている。抵抗直列回路の一端に位置する抵抗Ｒ１の一端は、スイッチＳＷ０の第二接点Ｂに接続されている。抵抗直列回路の他端に位置する抵抗Ｒｎ−１の一端は、スイッチＳＷ０の第一接点Ａに接続されている。
【００３５】
スイッチＳＷ１〜ＳＷｎは、１つの接点を備えるスイッチである。スイッチＳＷ１〜ＳＷｎは、それぞれ、ＤＶＤプレーヤ１００の各キー１１０に対応している。押されたキー１１０に対応するスイッチはＯＮ状態となり、タッチされていないキー１１０に対応するスイッチは、ＯＦＦ状態となる。
【００３６】
スイッチＳＷ１は、一端が抵抗Ｒ１の一端およびスイッチＳＷ０の第二接点Ｂに接続され、他端に接地電圧（第二電圧）が入力されている。スイッチＳＷｋ（ｋ＝２〜ｎ−１）は、一端が抵抗Ｒｋと抵抗Ｒ（ｋ＋１）との接続ノードに接続され、他端に接地電圧が入力されている。スイッチＳＷｎは、一端が抵抗Ｒｎ−１の一端およびスイッチＳＷ０の第一接点Ａに接続され、他端に接地電圧が入力されている。
【００３７】
スイッチＳＷ０と抵抗Ｒ０との接続ノードの電圧ＶＳＫが、タッチされているキー１１０を示す電圧として、キー情報生成回路１２２に出力される。
【００３８】
キー情報生成回路１２２は、キー入力検出回路１２１の検出結果である電圧ＶＳＫを用いて、タッチされているキー１１０がどのキー１１０であるかを判定する。
【００３９】
さらに、キー情報生成回路１２２は、タッチされていると判定したキー１１０を示すキー情報を生成し、ＭａｉｎＰＣＢ１３０に出力する。本実施の形態のキー情報生成回路１２２は、２つのキー情報を重畳させたキー信号ＳＫをＭａｉｎＰＣＢ１３０に出力できる。具体的な構成については後述するが、キー情報生成回路１２２は、例えば、第一のキー情報については、キー信号ＳＫのＤＣレベル（オフセット電圧）を、押されている第一のキーに応じた電圧値（基準レベルに対する電圧値）とすることで、第一のキー情報をキー信号ＳＫに含ませる。さらに、キー情報生成回路１２２は、第二のキー情報については、キー信号ＳＫをＰＷＭ（Ｐｕｌｓｅ  Ｗｉｄｔｈ  Ｍｏｄｕｌａｔｉｏｎ、パルス幅変調）信号とし、当該ＰＷＭ信号のデューティ比を、第二のキー情報に対応するデューティ比とすることにより、第二のキー情報をキー信号ＳＫに含ませる。
【００４０】
本実施の形態では、キー情報生成回路１２２は、キー１１０が１つのみ押されている場合は、第一のキー情報をキー信号ＳＫに含ませ、キー１１０が２つ以上押されている場合は、第一のキー情報と第二のキー情報とをキー信号ＳＫに含ませるように構成されているが、これに限るものではない。キー情報生成回路１２２は、キー１１０が１つのみ押されている場合に、キーを示すキー情報以外の情報をキー信号ＳＫに含ませるように構成されていてもよい。
【００４１】
また、キー情報生成回路１２２は、ＤＣレベルの検出のため、各キー１１０に対応させるデューティ比の範囲が設定されている。デューティ比の範囲は、例えば、１０％〜９０％である。
【００４２】
［１−１−２．ＭａｉｎＰＣＢ１３０の構成］
ＭａｉｎＰＣＢ１３０は、キー情報生成回路１２２から出力されたキー信号ＳＫからキー情報を読み取る。
【００４３】
ＭａｉｎＰＣＢ１３０は、図３に示すように、キー信号ＳＫの読み取りに関する構成として、Ａ／Ｄ変換回路１３１と、ＬＰＦ（Ｌｏｗ  Ｐａｓｓ  Ｆｉｌｔｅｒ、ローパスフィルタ）１３２と、プロセッサ１３３とを備えている。なお、図示しないが、ＭａｉｎＰＣＢ１３０は、ＫｅｙＰＣＢ１２０から出力されるキー信号ＳＫを受け付ける入力端子を備えている。
【００４４】
Ａ／Ｄ変換回路１３１は、ＭａｉｎＰＣＢ１３０の入力端子が受け付けたキー信号ＳＫをＡ／Ｄ変換し、Ａ／Ｄ変換後の信号（第一の信号）をＬＰＦ１３２およびプロセッサ１３３に出力する。Ａ／Ｄ変換回路１３１は、キー信号ＳＫのＤＣレベルをサンプリング（Ａ／Ｄ変換）する。
【００４５】
ＬＰＦ１３２は、Ａ／Ｄ変換回路１３１から出力された信号を積分し、積分後の信号（第二の信号）をプロセッサ１３３に出力する。
【００４６】
プロセッサ１３３は、上述したように、ＫｅｙＰＣＢ１２０から送信されるキー信号ＳＫには、１つのキー情報または２つのキー情報が含まれるため、２つのキー情報を読み取るように構成されている。
【００４７】
具体的には、プロセッサ１３３は、Ａ／Ｄ変換回路１３１からの信号の電圧値（ＤＣレベル、例えば、第一の信号のハイレベルでの電圧）から、１つ目のキー情報を取得する。さらに、プロセッサ１３３は、Ａ／Ｄ変換回路１３１によるＡ／Ｄ変換後の信号（第一の信号）のＤＣレベルとＬＰＦ１３２を通過した後の信号（第二の信号）のＤＣレベルとの差から、デューティ比を求める。プロセッサ１３３は、デューティ比を用いて、２つ目のキー情報を取得する。
【００４８】
［１−２．ＫｅｙＰＣＢ１２０およびＭａｉｎＰＣＢ１３０の各部の動作］
次に、ＫｅｙＰＣＢ１２０およびＭａｉｎＰＣＢ１３０の動作について、図４Ｂ〜図５を基に説明する。
【００４９】
［１−２−１．押されたキー１１０の検出］
ＫｅｙＰＣＢ１２０において、押されたキー１１０を検出する動作について、図４Ｂ〜図４Ｅを基に説明する。ここでは、（１）第一のキーと第二のキーの２つのキー１１０が同時に押された場合の動作、および、（２）１つのキー１１０のみが押された場合の動作について説明する。
【００５０】
（１）２つのキー１１０が同時にタッチされている場合の動作について、図４Ｂおよび図４Ｃを基に説明する。図４Ｂおよび図４Ｃでは、スイッチＳＷ３に対応するキー１１０（第一のキー）とスイッチＳＷ２に対応するキー１１０（第二のキー）とがタッチされている場合について示している。
【００５１】
キー入力検出回路１２１は、時分割で２つのキー１１０を交互に検出する。
【００５２】
スイッチＳＷ０が第一接点Ａに接続している状態では、図４Ｂに示すように、タッチされているスイッチＳＷ２とＳＷ３のうち、第一接点Ａに近い側のスイッチＳＷ３と電源電圧との間の経路に電流が流れる。このとき、出力信号の電圧ＶＳＫは、ＶＣＣ×（Ｒ３＋Ｒ４＋・・・Ｒｎ−１）／（Ｒ０＋Ｒ３＋Ｒ４＋・・・＋Ｒｎ−１）＝ＶＣＣ×（ｎ−３）／（ｎ−２）となる。なお、タッチされているスイッチをスイッチＳＷｉとして一般化すると、出力信号の電圧ＶＳＫは、以下の式１で表される。
【００５３】
【数１】
2014209288.tif 000003
【００５４】
スイッチＳＷ０が第二接点Ｂに接続している状態では、図４Ｃに示すように、タッチされているスイッチＳＷ２とＳＷ３のうち、第二接点Ｂに近い側のスイッチＳＷ２と電源電圧との間の経路に電流が流れる。このとき、出力信号の電圧は、ＶＣＣ×Ｒ１／（Ｒ０＋Ｒ１）＝ＶＣＣ×１／２となる。なお、タッチされているスイッチをスイッチＳＷｊとして一般化すると、出力信号の電圧ＶＳＫは、以下の式２で表される。ＶＣＣ×（Ｒ１＋・・・＋Ｒｊ−１）／（Ｒ０＋Ｒ１＋・・・＋Ｒｊ−１）＝ＶＣＣ×（ｊ−１）／ｊとなる。
【００５５】
【数２】
2014209288.tif 000004
【００５６】
キー情報生成回路１２２は、キー入力検出回路１２１からの出力信号の電圧ＶＳＫに基づいて、押されているキーを判定する。
【００５７】
ここで、式１および式２に示すように、スイッチＳＷ０の第三接点Ｃに接続されている接点が第一接点Ａである場合のキーと電圧との対応関係（式１）と、第三接点Ｃに接続されている接点が第二接点Ｂである場合のキーと電圧との対応関係（式２）は異なる。キー情報生成回路１２２は、接続されている接点の対応関係と、キー入力検出回路１２１からの出力信号の電圧ＶＳＫとを用いることで、２つのキーを判定する。
【００５８】
詳細には、キー情報生成回路１２２は、制御信号ＳＣのレベルから、スイッチＳＷ０の第三接点Ｃに接続されている接点が第一接点Ａであるか第二接点Ｂであるかを判定する。キー情報生成回路１２２は、例えば、制御信号ＳＣが“０”の期間は、第三接点Ｃと第一接点Ａとが接続している期間であると判定する。この場合、キー情報生成回路１２２は、式１を用いて、キー入力検出回路１２１からの出力信号の電圧ＶＳＫを解析し、タッチされているスイッチを特定する。キー情報生成回路１２２は、例えば、制御信号ＳＣが“１”の期間は、第三接点Ｃと第二接点Ｂとが接続している期間であると判定する。この場合、キー情報生成回路１２２は、式２を用いて、キー入力検出回路１２１からの出力信号の電圧ＶＳＫを解析し、タッチされているスイッチを特定する。
【００５９】
なお、本実施の形態では、押されている２つのキーを交互に（時分割で）検出するとしているが、制御信号ＳＣの周期は、ＤＶＤプレーヤ１００の操作者がタッチしている期間に比べて相当短いため（例えば、１ｍｓｅｃ）、時分割であっても十分に検出できると考えられる。また、タッチしていることが確実な場合にのみ検出できるように、一定回数同じスイッチがタッチされていることが検出された場合に、当該スイッチがタッチされていると判定するように構成してもよい。
【００６０】
（２）１つのキー１１０がタッチされている場合の動作について、図４Ｄおよび図４Ｅを基に説明する。図４Ｄおよび図４Ｅでは、スイッチＳＷ３に対応するキー１１０がタッチされている場合について示している。
【００６１】
図４Ｄおよび図４Ｅは、１つのキー１１０のみが押された場合のキー入力検出回路１２１の動作を説明するための図である。
【００６２】
１つのキー１１０がタッチされている場合でも、スイッチＳＷ０は、制御信号ＳＣにより、所定の周期で第一接点Ａと第二接点Ｂとの間で切り替えられる。なお、第一接点Ａに接続されている場合は、出力信号の電圧ＶＳＫは、図４Ｂの場合と同様に、ＶＣＣ×（ｎ−３）／（ｎ−２）となる。
【００６３】
第二接点Ｂに接続されている場合は、出力信号の電圧ＶＳＫは、図４Ｅより、ＶＣＣ×２／３となる。
【００６４】
このとき、キー情報生成回路１２２では、スイッチＳＷ０の切り替えに拘わらず、同じキー１１０が検出されることから、タッチされているキー１１０が１つであると判定することが可能である。
【００６５】
［１−２−２．キー情報の生成］
ＫｅｙＰＣＢ１２０において、１または複数のキー情報を含むキー信号ＳＫを生成する動作について、図５を基に説明する。
【００６６】
図５は、本実施の形態において、キー情報生成回路１２２が生成するキー信号ＳＫの一例を示す波形図である。
【００６７】
図５において、期間ｔ０〜ｔ１は、１つのキー１１０がタッチされている期間である。キー情報生成回路１２２は、キー信号ＳＫとして、押されているキー１１０に対応する電圧Ｖ１（ＤＣレベル）を有する信号を生成する。
【００６８】
期間ｔ１〜ｔ２は、２つのキー１１０がタッチされている期間である。キー情報生成回路１２２は、キー信号ＳＫとして、振幅が、１つ目のキー１１０（例えば、第一のキー）に対応する電圧Ｖ１であり、デューティ比が、２つ目のキー１１０（例えば、第二のキー）に対応する値となるＰＷＭ信号を生成する。図５において、期間ｔ１〜ｔ２のデューティ比は、例えば、７５％である。なお、ここでの１つ目のキーおよび２つ目のキーそれぞれは、押されている２つのキーの一方であり、第一接点Ａに接続されているときに検出されるキーを、１つ目のキーとし、第二接点Ｂに接続されているときに検出されるキーを、２つ目のキーとしても良いし、その逆であってもよい。
【００６９】
期間ｔ２〜ｔ３は、何れのキー１１０も押されていない期間であり、ＤＣレベルが０となっている。
【００７０】
期間ｔ３〜ｔ４は、１つのキー１１０がタッチされている期間である。キー情報生成回路１２２は、キー信号ＳＫとして、押されているキー１１０に対応する電圧Ｖ１（ＤＣレベル）を有する信号を生成する。
【００７１】
期間ｔ４〜ｔ５は、２つのキー１１０がタッチされている期間である。キー情報生成回路１２２は、キー信号ＳＫとして、振幅が、１つ目のキー１１０に対応する電圧Ｖ２であり、デューティ比が、２つ目のキー１１０に対応する値となるＰＷＭ信号を生成する。図５において、期間ｔ４〜ｔ５のデューティ比は、例えば、５０％である。
【００７２】
［１−２−３．キー情報の読み取り］
ＭａｉｎＰＣＢ１３０において、ＫｅｙＰＣＢ１２０から出力されたキー信号ＳＫから、１または複数のキー情報を読み取る動作について、図６を基に説明する。
【００７３】
図６は、図５に示すキー信号ＳＫがＭａｉｎＰＣＢ１３０に入力された場合において、Ａ／Ｄ変換回路１３１およびＬＰＦ１３２を通過した後の信号を示す波形図である。
【００７４】
プロセッサ１３３は、上述したように、Ａ／Ｄ変換後のキー信号ＳＫのＤＣレベルから、１つ目のキー情報を求め、デューティ比から、２つ目のキー情報を求める。デューティ比は、Ａ／Ｄ変換後のキー信号ＳＫのＤＣレベルとＬＰＦ１３２を通過した後のキー信号ＳＫのＤＣレベルとの差から求めることができる。なお、上記差が０の場合（デューティ比が１００％の場合）は、２つ目のキー情報を含まない場合（＝キー情報が１つの場合）である。
【００７５】
図６において、時刻ｔ０〜ｔ１は、Ａ／Ｄ変換後のキー信号ＳＫのＤＣレベルは電圧Ｖ１となり、ＬＰＦ１３２を通過した後のキー信号ＳＫのＤＣレベルも電圧Ｖ１となる。プロセッサ１３３は、電圧Ｖ１に対応するキー１１０の情報を、１つ目のキー情報として求める。また、Ａ／Ｄ変換後のキー信号ＳＫのＤＣレベルとＬＰＦ１３２を通過した後のキー信号ＳＫのＤＣレベルとの差が０であることから、キー信号ＳＫには、１つのキー情報しか含まれていないことが分かる。
【００７６】
時刻ｔ１〜ｔ２は、Ａ／Ｄ変換後のキー信号ＳＫのＤＣレベルは、電圧Ｖ１となり、ＬＰＦ１３２を通過した後のキー信号ＳＫのＤＣレベルは、電圧Ｖ１−ΔＶ１（ＰＷＭ信号の積分値）となる。Ａ／Ｄ変換後のキー信号ＳＫのＤＣレベルとＬＰＦ１３２を通過した後のキー信号ＳＫのＤＣレベルとの差ΔＶ１から、デューティ比を求めることができる。具体的には、デューティ比＝（Ｖ１−ΔＶ１）×１００／Ｖ１となる。このデューティ比から、２つ目のキー情報を求めることができる。
【００７７】
期間ｔ２〜ｔ３は、何れのキー１１０も押されていない期間であり、キー信号ＳＫのＤＣレベルが０となっている。
【００７８】
時刻ｔ３〜ｔ４は、Ａ／Ｄ変換後のキー信号ＳＫのＤＣレベルは電圧Ｖ２となり、ＬＰＦ１３２を通過した後のキー信号ＳＫのＤＣレベルも電圧Ｖ２となる。プロセッサ１３３は、電圧Ｖ２に対応するキー１１０の情報を、１つ目のキー情報として求める。また、Ａ／Ｄ変換後のキー信号ＳＫのＤＣレベルとＬＰＦ１３２を通過した後のキー信号ＳＫのＤＣレベルとの差が０であることから、キー信号ＳＫには、１つのキー情報しか含まれていないことが分かる。
【００７９】
時刻ｔ４〜ｔ５は、Ａ／Ｄ変換後のキー信号ＳＫのＤＣレベルは、電圧Ｖ２となり、ＬＰＦ１３２を通過した後のキー信号ＳＫのＤＣレベルは、電圧Ｖ２−ΔＶ２（ＰＷＭ信号の積分値）となる。Ａ／Ｄ変換後のキー信号ＳＫのＤＣレベルとＬＰＦ１３２を通過した後のキー信号ＳＫのＤＣレベルとの差ΔＶ２から、デューティ比を求めることができる。具体的には、デューティ比＝（Ｖ２−ΔＶ２）×１００／Ｖ２となる。このデューティ比から、２つ目のキー情報を求めることができる。
【００８０】
［１−３．まとめ（効果等）］
本実施の形態によれば、１本の信号ラインで複数のキー情報を送ることが可能になる。信号ラインが１つであることから、従来の機器との間で、物理構成的に互換性を備えることができる。これにより、端子とＡ／Ｄ変換回路の増加が回避される。
【００８１】
また、ＭａｉｎＰＣＢ１３０の構成を、Ａ／Ｄ変換回路１３１の出力ノードにＬＰＦ１３２を備える構成としたので、Ａ／Ｄ変換回路１３１を追加することなく、複数のキー情報を重畳させたキー信号ＳＫの読み取りが可能になる。
【００８２】
また、本実施の形態のキー入力検出回路１２１は、同時に押された２つのキー１１０を検出できる。ここで、例えば、図１３に示す従来のキー入力検出回路５１０の場合、押されたキー１１０のうち、電源電圧ＶＣＣに最も近いキー１１０のみが検出できる。これは、電源電圧ＶＣＣに最も近いキー１１０に対応するスイッチと、その他のキー１１０に対応するスイッチとの間では、電圧差が０となり、電流が流れないためである。
【００８３】
このため、２つのキー１１０が同時に押されたことを検出するためには、図１４に示すように、例えば、複数のキー１１０を２つの系統に分類し、系統別にキー入力検出回路６１０を備える等が考えられる。しかし、この場合でも、１つの系統につき１つのキー１１０しか検出できない。また、系統が異なるキー１１０の間でしか２つのキー１１０が同時に押されたことを検出できないため、検出パターンに制約がある。さらに、系統が２つになることで、ＭａｉｎＰＣＢ６２０の入力端子が２つ必要になる。
【００８４】
これに対し、本実施の形態のキー入力検出回路１２１は、三路スイッチＳＷ０を１つ追加するという簡素な構成で、２つのキー１１０が同時に押されたことを確実に検出できる。また、本実施の形態のキー入力検出回路１２１は、ＭａｉｎＰＣＢ１３０側のポートを追加する必要がない。
【００８５】
なお、本実施の形態では、キー情報生成回路１２２は、２つのキー情報を送る構成としたが、１つのキーのみが検出されている場合は、１つのキー情報と、キー情報以外の他の第一の情報とを含むキー信号ＳＫを生成しても良い。
【００８６】
（実施の形態２）
実施の形態２について、図７および図８を基に説明する。
【００８７】
本実施の形態では、実施の形態１とは、キー情報生成回路１２２で生成されるキー信号ＳＫの構成が異なる場合について説明する。具体的には、実施の形態１では、ＤＣ信号（０Ｈｚの低周波信号）にＰＷＭ信号を重畳したが、本実施の形態では、低周波信号（＞０Ｈｚ）にＰＷＭ信号を重畳させる場合について説明する。
【００８８】
本実施の形態のキー入力検出回路は、実施の形態１と同様に、タクタイルスイッチを備えたＤＶＤプレーヤに搭載されている。また、当該ＤＶＤプレーヤは、押されたキー１１０を検出するＫｅｙＰＣＢと、ＫｅｙＰＣＢからの信号に基づいて、押されたキー１１０を認識するＭａｉｎＰＣＢ１３０とを備えている。
【００８９】
［２−１．ＫｅｙＰＣＢ］
ＫｅｙＰＣＢは、キー入力検出回路１２１と、キー情報生成回路１２２とを備えている。キー入力検出回路１２１の構成は、実施の形態１と同じである。
【００９０】
キー情報生成回路１２２は、実施の形態１と同様に、キー入力検出回路１２１の検出結果である電圧ＶＳＫを用いて、タッチされているキー１１０がどのキー１１０であるかを判定する。
【００９１】
さらに、キー情報生成回路１２２は、タッチされていると判定したキー１１０を示すキー情報を生成し、ＭａｉｎＰＣＢ１３０に出力する。
【００９２】
本実施の形態では、キー情報生成回路１２２は、低周波信号にＰＷＭ信号を重畳させてキー信号ＳＫを生成する。このため、本実施の形態のキー情報生成回路１２２は、図示しないが、ＰＷＭ発生回路を備えている。図７は、本実施の形態のキー情報生成回路１２２により生成されるキー信号ＳＫの一例を示す波形図である。
【００９３】
図７において、時刻ｔ０〜ｔ１は、１つのキー１１０が押されている期間である。キー情報生成回路１２２は、時刻ｔ０〜ｔ１は、キー信号ＳＫとして、押されたキー１１０に対応するＤＣレベルを有する低周波信号を生成する。ここで、ＤＣレベルは、低周波信号のピーク値、電圧の平均値、電圧の積分値、電圧の中間値等、任意の電圧であってもよい。
【００９４】
時刻ｔ１以降は、２つのキー１１０が押されている期間である。キー情報生成回路１２２は、低周波信号に、ＰＷＭ信号を重ね合わせる。重ね合わせた後の信号（キー信号ＳＫ）は、低周波信号のＤＣレベルがＤＣレベルとなるように、ＧＮＤ側に突出した波形となっている。
【００９５】
［２−２．ＭａｉｎＰＣＢ１３０］
ＭａｉｎＰＣＢ１３０は、キー情報生成回路１２２から出力されたキー信号ＳＫからキー情報を読み取る。
【００９６】
ＭａｉｎＰＣＢ１３０は、図３に示すように、キー信号ＳＫの読み取りに関する構成として、Ａ／Ｄ変換回路１３１と、ＬＰＦ１３２と、プロセッサ１３３とを備えている。
【００９７】
図８は、図６に示すキー信号ＳＫがＭａｉｎＰＣＢ１３０に入力された場合において、Ａ／Ｄ変換回路１３１およびＬＰＦ１３２を通過した後の信号を示す波形図である。
【００９８】
プロセッサ１３３は、Ａ／Ｄ変換後のキー信号ＳＫのＤＣレベルから、１つ目のキー情報を求め、デューティ比から、２つ目のキー情報を求める。デューティ比は、Ａ／Ｄ変換後のキー信号ＳＫのＤＣレベルとＬＰＦ１３２を通過した後のキー信号ＳＫのＤＣレベルとの差から求めることができる。なお、上記差が０の場合（デューティ比が１００％の場合）は、２つ目のキー情報を含まない場合（＝キー情報が１つの場合）である。
【００９９】
図８において、時刻ｔ０〜ｔ１は、Ａ／Ｄ変換後のキー信号ＳＫのＤＣレベルとＬＰＦ１３２を通過した後のキー信号ＳＫのＤＣレベルが同じになる。プロセッサ１３３は、Ａ／Ｄ変換後のキー信号ＳＫのＤＣレベルに対応するキー１１０の情報を、１つ目のキー情報として求める。また、Ａ／Ｄ変換後のキー信号ＳＫのＤＣレベルとＬＰＦ１３２を通過した後のキー信号ＳＫのＤＣレベルとの差が０であることから、キー信号ＳＫには、１つのキー情報しか含まれていないことが分かる。
【０１００】
時刻ｔ２以降は、Ａ／Ｄ変換後のキー信号ＳＫのＤＣレベルとＬＰＦ１３２を通過した後のキー信号ＳＫのＤＣレベルとの差は、ΔＶ３となる。この差ΔＶ３から、デューティ比を求めることができる。具体的には、デューティ比＝（Ｖ３−ΔＶ３）×１００／Ｖ３となる。このデューティ比から、２つ目のキー情報を求めることができる。
【０１０１】
なお、本実施の形態では、キー情報生成回路１２２は、低周波信号にＰＷＭ信号を重ね合わせてキー信号ＳＫを生成することから、ＭａｉｎＰＣＢ１３０のプロセッサ１３３は、ＰＷＭ信号の頂部分で（ＤＣレベルの期間に）、信号の差分を取得する必要がある。
【０１０２】
［２−３．まとめ等］
本実施の形態で説明したように、キー情報生成回路１２２を低周波信号にＰＷＭ信号を重畳するように構成しても、複数のキー情報を含むキー信号ＳＫを生成することが可能である。
【０１０３】
また、実施の形態１と同様に、１本の信号ラインで複数のキー情報を送ることが可能になり、従来の機器との間で、物理構成的に互換性を備えることができる。
【０１０４】
また、実施の形態１と同様に、キー情報生成回路１２２は、２つのキー情報を含むキー信号ＳＫではなく、１つのキー情報とキー情報以外の他の第一の情報とを含むキー信号ＳＫを生成しても良い。
【０１０５】
（実施の形態３）
実施の形態３について、図９および図１０を基に説明する。
【０１０６】
上記実施の形態１および実施の形態２では、キー情報生成回路１２２は、２つのキー情報を含むキー信号ＳＫを生成する場合について説明したが、本実施の形態では、キー情報生成回路１２２は、少なくとも１つのキー情報を含む３つの情報を含むキー信号ＳＫを生成する場合について説明する。
【０１０７】
本実施の形態のキー入力検出回路は、実施の形態１および実施の形態２と同様に、タクタイルスイッチを備えたＤＶＤプレーヤに搭載されている。また、当該ＤＶＤプレーヤは、押されたキー１１０を検出するＫｅｙＰＣＢと、ＫｅｙＰＣＢからの信号に基づいて、押されたキー１１０を認識するＭａｉｎＰＣＢ１３０とを備えている。
【０１０８】
［３−１．ＫｅｙＰＣＢ］
ＫｅｙＰＣＢは、キー入力検出回路１２１と、キー情報生成回路１２２とを備えている。キー入力検出回路１２１の構成は、実施の形態１と同じである。
【０１０９】
キー情報生成回路１２２は、実施の形態１と同様に、キー入力検出回路１２１の検出結果である電圧ＶＳＫを用いて、タッチされているキー１１０がどのキー１１０であるかを判定する。
【０１１０】
さらに、キー情報生成回路１２２は、タッチされていると判定したキー１１０を示すキー情報を生成し、ＭａｉｎＰＣＢ１３０に出力する。
【０１１１】
さらに、本実施の形態のキー情報生成回路１２２は、時分割で２種類のデューティ比のＰＷＭ信号を交互に出力することで、３つのキー情報を備えるキー信号ＳＫを生成する。図９は、本実施の形態におけるキー情報の一例を示す波形図である。
【０１１２】
図９において、時刻ｔ０〜ｔ１は、２つのキー１１０が押されている期間である。キー情報生成回路１２２は、時刻ｔ０〜ｔ１は、キー信号ＳＫとして、１つ目のキー１１０に対応するＤＣレベル（振幅）と、２つ目のキー１１０に対応するデューティ比を持つキー信号ＳＫを生成している。
【０１１３】
時刻ｔ１以降は、２つのキー１１０が押され、かつ、さらに他の情報をキー信号ＳＫに含ませる場合について図示している。
【０１１４】
時刻ｔ１以降は、２つのキー情報と他の情報とが含まれる場合を示している。キー情報生成回路１２２は、１つ目のキー１１０に対応するＤＣレベル（振幅）を持つＰＷＭ信号を生成する。さらに、キー情報生成回路１２２は、時刻ｔｉ〜ｔ（ｉ＋２）（ｉ＝奇数）の間を２分割し、前半の期間に第一のデューティ比（２つ目のキー情報に対応）のＰＷＭ信号を、後半の期間に第二のデューティ比（他の情報に対応）のＰＷＭ信号を生成する。
【０１１５】
このように構成すれば、少なくとも１つのキー情報と、複数の他の情報（２つ目のキー情報を含んでいてもよい）とを含むキー情報を生成できる。なお、時刻ｔｉ〜ｔ（ｉ＋２）の間をさらに複数の期間に分割し、分割した期間毎にデューティ比を変更すれば、さらに多くの情報を含ませることも可能である。
【０１１６】
［３−２．ＭａｉｎＰＣＢ１３０］
ＭａｉｎＰＣＢ１３０は、キー情報生成回路１２２から出力されたキー信号ＳＫからキー情報を読み取る。
【０１１７】
ＭａｉｎＰＣＢ１３０は、図３に示すように、キー信号ＳＫの読み取りに関する構成として、Ａ／Ｄ変換回路１３１と、ＬＰＦ１３２と、プロセッサ１３３とを備えている。なお、ＭａｉｎＰＣＢ１３０は、キー情報が時分割でデューティ比が切り替えられることから、ＬＰＦ１３２の時定数を、時分割で追従して変更するように構成する。
【０１１８】
図１０は、図９に示すキー信号ＳＫがＭａｉｎＰＣＢ１３０に入力された場合において、Ａ／Ｄ変換回路１３１およびＬＰＦ１３２を通過した後の信号を示す波形図である。
【０１１９】
プロセッサ１３３は、Ａ／Ｄ変換後のキー信号ＳＫのＤＣレベルから、１つ目のキー情報を求め、１つ目のデューティ比から、２つ目のキー情報を求め、２つ目のデューティ比から、他の情報を読み取る。各デューティ比は、Ａ／Ｄ変換後のキー信号ＳＫのＤＣレベルとＬＰＦ１３２を通過した後のキー信号ＳＫのＤＣレベルとの差から求めることができる。なお、上記差が０の場合（デューティ比が１００％の場合）は、キー情報が１つの場合である。
【０１２０】
図１０において、時刻ｔ０〜ｔ１は、Ａ／Ｄ変換後のキー信号ＳＫのＤＣレベルとＬＰＦ１３２を通過した後のキー信号ＳＫのＤＣレベルとの差がΔＶ４となる。プロセッサ１３３は、Ａ／Ｄ変換後のキー信号ＳＫのＤＣレベルに対応するキーの情報を、１つ目のキー情報として求める。また、差ΔＶ４から求められるデューティ比から、２つ目のキー情報を求めることができる。
【０１２１】
時刻ｔ１以降は、キー信号ＳＫに２つのキー情報と他の情報とが含まれている。時刻ｔｉ〜ｔ（ｉ＋２）におけるＰＷＭ信号のＤＣレベルから、１つ目のキー情報を求めることができる。また、時刻ｔｉ〜ｔ（ｉ＋１）における差ΔＶ５から、１つ目のデューティ比を求めることができる。さらに、時刻ｔ（ｉ＋１）〜ｔ（ｉ＋２）における差ΔＶ６から、２つ目のデューティ比を求めることができる。
【０１２２】
［３−３．まとめ等］
本実施の形態のキー情報生成回路１２２は、時分割でデューティ比を切り替えることにより、少なくとも１つのキー情報と、複数の他の情報（２つ目のキー情報を含んでいてもよい）とを含むキー情報を生成できる。
【０１２３】
また、実施の形態１および実施の形態２と同様に、１本の信号ラインで複数のキー情報を送ることが可能になり、従来の機器との間で、物理構成的に互換性を備えることができる。
【０１２４】
（実施の形態４）
実施の形態４について、図１１を基に説明する。
【０１２５】
本実施の形態では、上記実施の形態１〜実施の形態３とは、ＭａｉｎＰＣＢ１４０の構成が異なる場合について説明する。
【０１２６】
本実施の形態のキー入力検出回路は、実施の形態１〜実施の形態３と同様に、タクタイルスイッチを備えたＤＶＤプレーヤ４００に搭載されている。また、当該ＤＶＤプレーヤ４００は、押されたキー１１０を検出するＫｅｙＰＣＢ１２０と、ＫｅｙＰＣＢ１２０からの信号に基づいて、押されたキー１１０を認識するＭａｉｎＰＣＢ１４０とを備えている。なお、ＫｅｙＰＣＢ１２０の構成は、実施の形態１〜実施の形態３の何れかと同じである。
【０１２７】
本実施の形態のＭａｉｎＰＣＢ１４０は、キー情報生成回路１２２から出力されたキー信号ＳＫからキー情報を読み取る。
【０１２８】
図１１は、本実施の形態のＤＶＤプレーヤ４００の構成のうち、キー信号ＳＫの入力に関する部分の構成を示すブロック図である。
【０１２９】
図１１に示すように、本実施の形態のＭａｉｎＰＣＢ１４０は、ＬＰＦ１４１と、第一Ａ／Ｄ変換回路１４２および第二Ａ／Ｄ変換回路１４３の２つのＡ／Ｄ変換回路と、プロセッサ１３３とを備えている。
【０１３０】
ＬＰＦ１４１は、ＭａｉｎＰＣＢ１４０の入力端子からの信号を積分し、第二Ａ／Ｄ変換回路１４３に出力する。
【０１３１】
第一Ａ／Ｄ変換回路１４２は、ＬＰＦ１４１からの信号をＡ／Ｄ変換し、プロセッサ１３３に出力する。
【０１３２】
第二Ａ／Ｄ変換回路１４３は、ＭａｉｎＰＣＢ１４０の入力端子からの信号をＡ／Ｄ変換し、プロセッサ１３３に出力する。
【０１３３】
本実施の形態のＭａｉｎＰＣＢ１４０は、実施の形態１のＭａｉｎＰＣＢ１３０とは、構成が異なるが、プロセッサ１３３に入力される信号は、結果的に同じになる。
【０１３４】
したがって、本実施の形態においても、１本の信号ラインで複数のキー情報を送ることが可能になる。信号ラインが１つであることから、従来の機器との間で、物理構成的に互換性を備えることができる。
【０１３５】
また、本実施の形態のキー入力検出回路１２１は、実施の形態１と同様に、同時に押された２つのキーを検出できる。
【０１３６】
（実施の形態５）
実施の形態５について、図１２を基に説明する。
【０１３７】
本実施の形態では、実施の形態１〜４とは、キー入力検出回路１２１の構成が異なる場合について説明する。
【０１３８】
本実施の形態のキー入力検出回路は、実施の形態１と同様に、タクタイルスイッチを備えたＤＶＤプレーヤに搭載されている。また、当該ＤＶＤプレーヤは、押されたキー１１０を検出するＫｅｙＰＣＢと、ＫｅｙＰＣＢからの信号に基づいて、押されたキー１１０を認識するＭａｉｎＰＣＢ１３０とを備えている。ＭａｉｎＰＣＢ１３０の構成は、実施の形態１〜４と同じである。
【０１３９】
本実施の形態のＫｅｙＰＣＢ７２０は、キー入力検出回路７２１と、キー情報生成回路１２２とを備えている。キー情報生成回路１２２の構成は、実施の形態１と同じである。
【０１４０】
図１２は、本実施の形態におけるキー入力検出回路７２１の構成の一例を示す回路図である。
【０１４１】
本実施の形態のキー入力検出回路７２１は、図１２に示すように、接点切り替えスイッチＳＷ０と、２つの抵抗Ｒ０と、抵抗直列回路（抵抗Ｒ１〜Ｒｎ−１）と、スイッチＳＷ１〜ＳＷｎとを備えて構成されている。スイッチＳＷ１〜ＳＷｎの構成は、実施の形態１と同じである。
【０１４２】
接点切り替えスイッチＳＷ０は、第三接点Ｃに電源電圧ＶＣＣが入力され、第一接点Ａに１つの抵抗Ｒ０の一端が、第二接点Ｂに他の抵抗Ｒ０の一端が接続されている。
【０１４３】
１つの抵抗Ｒ０は、一端が第一接点Ａに、他端が抵抗直列回路の一端に接続されている。他の抵抗Ｒ０は、一端が第二接点Ｂに、他端が抵抗直列回路の他端に接続されている。また、１つの抵抗Ｒ０の他端と他の抵抗Ｒ０の他端とが接続され、当該接続点の電圧が出力電圧となる。
【０１４４】
本実施の形態のキー入力検出回路７２１は、実施の形態１と同様に、１つの系統内で、同時に押された２つのキー１１０を検出できる。つまり、実施の形態１〜４のキー入力検出回路７２１とは回路構成が異なるが、他の実施の形態と同じキー信号ＳＫが生成される。
【０１４５】
また、本実施の形態によれば、上記実施の形態１〜４と同様に、１本の信号ラインで複数のキー情報を送ることが可能になる。信号ラインが１つであることから、従来の機器との間で、物理構成的に互換性を備えることができる。
【０１４６】
さらに、本実施の形態によれば、上記実施の形態１〜４と同様に、ＭａｉｎＰＣＢ１３０の構成を、Ａ／Ｄ変換回路１３１の出力ノードにＬＰＦ１３２を備える構成としたので、Ａ／Ｄ変換回路１３１を追加することなく、複数のキー情報を重畳させたキー信号ＳＫの読み取りが可能になる。
【０１４７】
（他の実施の形態）
以上、本発明の実施の形態に係るキー入力検出回路について説明したが、本発明は、この実施の形態に限定されるものではない。
【０１４８】
（１）上述した各実施の形態のキー入力検出回路１２１において、抵抗Ｒ０〜Ｒｎ−１は、抵抗素子であっても良いし、ＮＯＳ型トランジスタ等を用いて構成された抵抗回路等であっても良い。
【０１４９】
（２）上述した各実施の形態では、キー入力検出回路１２１は、ｎ−１個の第二抵抗回路と、ｎ個のスイッチ回路とを備えたが、これに限るものではない。スイッチ回路の個数は、２以上であればよい。また、第二抵抗回路Ｒ１〜Ｒｎ−１の全ての接続点にスイッチ回路が設けられている必要はない。
【０１５０】
（３）また、上記のＤＶＤプレーヤのうち、キー情報生成回路あるいはＭａｉｎＰＣＢの一部は、具体的には、マイクロプロセッサ、ＲＯＭ、ＲＡＭなどから構成されるコンピュータシステムとして構成されても良い。ＲＯＭあるいはＲＡＭには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１５１】
さらに、上記キー情報生成装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。
【０１５２】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【０１５３】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【０１５４】
また、本発明は、上記コンピュータプログラムまたは上記デジタル信号を、電気通信回線、無線または有線通信回線、インターネットを代表とするネットワーク、データ放送等を経由して伝送するものとしても良い。
【０１５５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【０１５６】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【０１５７】
さらに、上記実施の形態及び上記変形例をそれぞれ組み合わせるとしても良い。
【産業上の利用可能性】
【０１５８】
上記実施の形態のキー情報生成装置は、タクタイルスイッチあるいはタッチパネル等を備えた、ＤＶＤプレーヤ等の音響映像機器、音響映像機器等のリモコン、ハードウェアキーボード、スクリーンキーボード等に適用できる。
【符号の説明】
【０１５９】
１００、４００  ＤＶＤプレーヤ
１１０  キー
１２０  ＫｅｙＰＣＢ
１２１  キー入力検出回路
１２２  キー情報生成回路
１３０、１４０  ＭａｉｎＰＣＢ
１３１、１４２、１４３  Ａ／Ｄ変換回路
１３２、１４１  ＬＰＦ
１３３  プロセッサ
２００  ＴＶ
３００  リモコン
５１０、６１０  キー入力検出回路
５２０、６２０  ＭａｉｎＰＣＢ
Ａ    第一接点
Ｂ    第二接点
Ｃ    第三接点
ＳＫ  キー信号
ＳＣ  制御信号
【図１】
2014209288.tif 000005
【図２】
2014209288.tif 000006
【図３】
2014209288.tif 000007
【図４Ａ】
2014209288.tif 000008
【図４Ｂ】
2014209288.tif 000009
【図４Ｃ】
2014209288.tif 000010
【図４Ｄ】
2014209288.tif 000011
【図４Ｅ】
2014209288.tif 000012
【図５】
2014209288.tif 000013
【図６】
2014209288.tif 000014
【図７】
2014209288.tif 000015
【図８】
2014209288.tif 000016
【図９】
2014209288.tif 000017
【図１０】
2014209288.tif 000018
【図１１】
2014209288.tif 000019
【図１２】
2014209288.tif 000020
【図１３】
2014209288.tif 000021
【図１４】
2014209288.tif 000022